【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
ディジタルサービスの第１パートを形成する第１のデータを受信する第１の受信手段と、
受信された第１のデータを処理する第１の処理手段と、
処理された第１のデータの出力を再生する第１の再生手段と
を有しており、
ここで、第１のデータの処理および再生にかかる時間が第１のデータの出力に第１の遅延を発生する、
ディジタルサービスソース装置から到来した少なくとも１つのディジタルサービスに相応するデータの少なくとも一部を再生するデータ再生装置において、
さらに、第１の遅延をディジタルサービスソース装置に知らせる通信手段が設けられている
ことを特徴とするデータ再生装置。
【請求項２】
再生装置はさらに、あらかじめ定められた少なくとも１つの第１の遅延の値を記憶するメモリを有する、請求項１記載の装置。
【請求項３】
前記メモリはＥＤＩＤ（Extended Display Identification Data）を用いて第１の遅延を記憶する、請求項１または２記載の装置。
【請求項４】
受信された第１のデータはビデオデータであり、前記メモリはあらかじめ定められた少なくとも２つの第１の遅延の値を記憶し、各値はあらかじめ定められたビデオデータフォーマットに関する、請求項１から３までのいずれか１項記載の装置。
【請求項５】
さらに、ディジタルサービスの第２パートを形成する第２のデータを受信する第２の受信手段と、受信された第２のデータを処理する第２の処理手段と、処理された第２のデータの出力を再生する第２の再生手段とを有しており、ここで、第２のデータの処理および再生にかかる時間が第２のデータの出力に第２の遅延を発生し、前記通信手段が該第２の遅延をディジタルサービスソース装置に知らせるように構成されている、請求項１から４までのいずれか１項記載の装置。
【請求項６】
データ再生装置はＨＤＭＩ規格に準拠している、請求項１から５までのいずれか１項記載の装置。
【請求項７】
前記通信手段はＤＤＣプロトコルまたはＣＥＣプロトコルを用いたリンクを含む、請求項１から６までのいずれか１項記載の装置。
【請求項８】
ディジタルサービスの第１パートを形成する第１のデータを出力する第１の出力手段と、
ディジタルサービスの第２パートを形成する第２のデータを出力する第２の出力手段と
を有する、
ディジタルサービスソース装置において、
データ再生装置から第１のデータに関する第１の遅延量インジケータを受信する受信手段と、
受信された第１の遅延量インジケータにしたがってディジタルサービスの第２パートを形成する出力データにプログラマブル遅延量を加える遅延量印加手段と
が設けられている
ことを特徴とするディジタルサービスソース装置。
【請求項９】
前記受信手段はさらにデータ再生装置から第２のデータに関する第２の遅延量インジケータを受信するように構成されており、前記遅延量印加手段はさらに受信された第１の遅延量インジケータおよび第２の遅延量インジケータにしたがってディジタルサービスの第２パートを形成する出力データにプログラマブル遅延量を加えるように構成されている、請求項８記載の装置。
【請求項１０】
前記遅延量印加手段はさらに受信された第１の遅延量インジケータと第２の遅延量インジケータとの差に等しいプログラマブル遅延量をディジタルサービスの第２パートを形成する出力データに加えるように構成されている、請求項９記載の装置。
【請求項１１】
ディジタルサービスソース装置はＨＤＭＩ規格に準拠している、請求項８から１０までのいずれか１項記載の装置。
【請求項１２】
ディジタルサービスソース装置はディジタルデコーダまたはＤＶＤプレーヤである、請求項８から１１までのいずれか１項記載の装置。
【請求項１３】
ディジタルサービスの第１パートを形成するデータはビデオデータであり、ディジタルサービスの第２パートを形成するデータはオーディオデータである、請求項８から１２までのいずれか１項記載の装置。
【請求項１４】
ディジタルサービスの第１パートを形成するデータもディジタルサービスの第２パートを形成するデータもビデオデータである、請求項８から１２までのいずれか１項記載の装置。
【請求項１５】
ディジタルサービスの第１パートを形成するデータは標準解像度フォーマットのビデオデータであり、ディジタルサービスの第２パートを形成するデータは高解像度フォーマットのビデオデータである、請求項１４記載の装置。
【請求項１６】
前記遅延量印加手段により、再生手段の要素、すなわちビデオデータのデインタレースモジュール、フォーマットコントローラ、スクリーンコントローラおよびスクリーンのうち１つまたは複数のものに起因する遅延が補償される、請求項８から１５までのいずれか１項記載の装置。
【請求項１７】
前記遅延量印加手段は、ディジタルサービスの第２パートを形成する出力データを前記プログラマブル遅延量にしたがって再記憶するまで一時記憶するメモリを含む、請求項８から１６までのいずれか１項記載の装置。
【請求項１８】
ディジタルサービスの第１パートを形成するデータを出力する第１の出力手段、ディジタルサービスの第２パートを形成するデータを出力する第２の出力手段、および、ディジタルサービスの第２パートを形成する出力データにプログラマブル遅延量を加える遅延量印加手段を有するディジタルサービスソース装置と、ディジタルサービスの第１パートを形成するデータを受信する受信手段、受信されたデータを処理する処理手段、および、処理されたデータの出力を再生する再生手段を有する少なくとも１つのデータ再生装置とを含むシステムでディジタルサービスの２つの部分を同期させる方法において、
データ再生装置からディジタルサービスの第１パートを形成する受信データを処理および再生する際に発生した合計遅延の値をディジタルサービスソース装置へ送信するステップと、
該合計遅延の値を受信し、受信された該合計遅延の値にしたがってディジタルサービスの第２パートを形成するデータの出力にディジタルサービスソース装置側でプログラマブル遅延量を加えるステップと
を有する
ことを特徴とするディジタルサービスの２つの部分を同期させる方法。
【請求項１９】
合計遅延の一部はスクリーン特性に起因しており、液晶スクリーンの場合、連続する２つのフレーム間のピクセルごとのグレーレベル差を計算するステップ、ピクセルごとに計算されたグレーレベル差から連続する２つのフレーム間のピクセルごとの応答時間を予測するステップ、全ピクセルについての遅延のヒストグラムを形成するステップ、および、該ヒストグラムから平均遅延を計算するステップにしたがって、スクリーン特性に起因する遅延量をフレームごとに予測する、請求項１８記載の方法。
【請求項２０】
ディジタルサービスの第１パートを形成するデータはビデオデータであり、ディジタルサービスの第２パートを形成するデータはオーディオデータである、請求項１８または１９記載の方法。
【請求項２１】
ディジタルサービスの第１パートを形成するデータは高解像度フォーマットのビデオデータであり、ディジタルサービスの第２パートを形成するデータは標準解像度フォーマットのビデオデータである、請求項１８または１９記載の方法。
【請求項２２】
ディジタルサービスの第１パートを形成する第１のデータを受信するステップと、
受信された第１のデータを処理するステップと、
処理された第１のデータの出力を再生するステップと
を有し、
ここで、第１のデータの処理および再生にかかる時間が第１のデータの出力に第１の遅延を発生する、
少なくとも１つのディジタルサービスに相応するデータの少なくとも一部を再生する方法において、
さらに、第１の遅延を送信するステップを有する
ことを特徴とするデータの少なくとも一部を再生する方法。
【請求項２３】
ディジタルサービスの第１パートを形成する第１のデータを出力するステップと、
ディジタルサービスの第２パートを形成する第２のデータを出力するステップと
を有する、
少なくとも１つのディジタルサービスに相応するデータを送信する方法において、
第１のデータの処理および再生の際に発生した遅延に関する第１の遅延量インジケータを受信するステップと、
受信された第１の遅延量インジケータにしたがって第２のデータの出力にプログラマブル遅延量を加えるステップと
を有する
ことを特徴とするデータを送信する方法。